(57)【要約】【課題】本体内に収納可能で、使用時に本体各部によって電磁波の送受信障害が少なく、かつ操作および表示を妨害しない位置に配置可能なアンテナを有する電子機器を提供する。【解決手段】キーボード３４の左右端に下部筐体３を形成するように折り曲げ式のアンテナユニット３２を設けたことにより、アンテナユニット３２を本体に収納可能で、下部筐体３とアンテナユニット３２を意匠的に一致させたため、出っ張り等がなくなり、持ち運ぶ際の引っかかりや持ちにくさを解消することができる。また、アンテナユニット３２を使用する状態で、アンテナユニット３２のアーム３２Ａにおけるアンテナ線３２Ｃを情報処理装置１から離れた位置に配置することができるため、情報処理装置１の各部との電波の干渉が減少し、受信感度の低下を防ぐことができる。また、同様の理由で、アンテナユニット３２がキーボード操作を妨げることなく、表示部の表示を視覚的に妨害しない。【選択図】図４
2008252528.tif 000002
【特許請求の範囲】
【請求項１】
キーボードと、
アンテナユニットと、
前記キーボードを搭載するキーボード搭載面と、前記キーボード搭載面の少なくとも一方の端部に隣接する位置に設けられた前記アンテナユニットを搭載するアンテナ搭載部とを有した筐体と
を備えた電子機器であって、
前記アンテナユニットは、
前記キーボード搭載面の法線方向を軸として第１の位置から第２の位置に回転可能に前記アンテナ搭載部に支持された第１のアームと、前記第１のアームの長手方向と垂直な方向を軸として第３の位置から第４の位置に回転可能に前記第１のアームに支持された第２のアームとを有し、
前記第１のアームが前記第１の位置にあり、前記第２のアームが前記第３の位置にある場合に、前記第１のアーム及び前記第２のアームの少なくとも一部が前記筐体の側面一部を構成すること
を特徴とする電子機器。
【請求項２】
前記アンテナユニットは、前記第１のアームが前記第２の位置にある場合に、電波を受信または送信することを特徴とする請求項１に記載の電子機器。
【請求項３】
前記筐体は、係止溝を有し、
前記アンテナユニットは、前記第１のアームが前記第１の位置にあり、前記第２のアームが前記第３の位置にあるときに前記係止溝に留められる係止部を有することを特徴とする請求項１に記載の電子機器。
【請求項４】
前記アンテナユニットは、受信または送信する電波の波長に基づいた長さを有するアンテナ線を前記第２のアーム内に有することを特徴とする請求項１に記載の電子機器。
【請求項５】
電子部品を収容する筐体と、
前記筐体に収納されて前記筐体の形成面の一部を構成する第１の配置と、前記筐体より取り出されて前記筐体の形成面上を外れた位置に配置される第２の配置を可能にして前記筐体に搭載されたアンテナユニットと
を有することを特徴とする電子機器。
【請求項６】
前記アンテナユニットは、前記第２の配置において、少なくとも対向しない２つの前記筐体の形成面上を外れた位置に配置されることを特徴とする請求項５に記載の電子機器。
【請求項７】
前記アンテナユニットは、前記筐体の形成面の法線方向を軸として第１の位置から第２の位置に回転可能に前記筐体に支持された第１のアームと、前記第１のアームの長手方向と垂直な方向を軸として第３の位置から第４の位置に回転可能に前記第１のアームに支持された第２のアームとを有することを特徴とする請求項５に記載の電子機器。
【請求項８】
前記アンテナユニットは、前記第１の配置において、前記筐体のキーボードを搭載するキーボード搭載面の少なくとも一方の端部に配置されることを特徴とする請求項５に記載の電子機器。
【発明の詳細な説明】
【技術分野】
【０００１】
本発明は、アンテナを介して無線通信を行う電子機器に関し、特に、本体内に収納可能で、使用時に本体各部によって電磁波の送受信障害が少なく、かつ操作および表示を妨害しない位置に配置可能なアンテナを有する電子機器に関する。
【背景技術】
【０００２】
従来の技術として、相互にスライドする第１および第２のユニットから構成され、第１および第２のユニットをスライドして開いた状態で、第１のユニットの露出する部分にアンテナを設けた電子機器がある（例えば、特許文献１参照）。
【０００３】
この電子機器は、表示部や入力部としてのキーボードを有する第１のユニットと、第１のユニットにスライドするように取り付けられて閉まった状態でキーボードを保護する第２のユニットを有する。この電子機器は、第１のユニットのキーボード近傍にアンテナを設け、第２のユニットをスライドして開いた状態にするとキーボードとともにアンテナが露出し、さらにアンテナが立ち上がるようにしている。この電子機器によれば、第１および第２のユニットを開いて使用している際には、アンテナが本体から離れるため電波の送受信を良好に実行可能で、また第１および第２のユニットを閉じて待機している際には、アンテナを本体内に収納して保護することができる。
【特許文献１】特開２００４−３１２６４０号公報
【発明の開示】
【発明が解決しようとする課題】
【０００４】
しかし、従来の電子機器によると、第１のユニット上の第２のユニットと重なる領域にアンテナを設けており、第１のユニットのアンテナ設置面上にアンテナが位置するため、例えば、当該電子機器が使用者によって把持されているとき、使用者および当該電子機器が障害になってアンテナの送受信特性が低下することがある。また、アンテナがキーボード操作の妨げとなったり、表示部の表示の視野を妨げる恐れがあるという問題がある。
【０００５】
従って、本発明の目的は、本体内に収納可能で、使用時に本体各部によって電磁波の送受信障害が少なく、かつ操作および表示を妨害しない位置に配置可能なアンテナを有する電子機器を提供することにある。
【課題を解決するための手段】
【０００６】
（１）本発明は上記目的を達成するため、キーボードと、アンテナユニットと、前記キーボードを搭載するキーボード搭載面と、前記キーボード搭載面の少なくとも一方の端部に隣接する位置に設けられた前記アンテナユニットを搭載するアンテナ搭載部とを有した筐体とを備えた電子機器であって、前記アンテナユニットは、前記キーボード搭載面の法線方向を軸として第１の位置から第２の位置に回転可能に前記アンテナ搭載部に支持された第１のアームと、前記第１のアームの長手方向と垂直な方向を軸として第３の位置から第４の位置に回転可能に前記第１のアームに支持された第２のアームとを有し、前記第１のアームが前記第１の位置にあり、前記第２のアームが前記第３の位置にある場合に、前記第１のアーム及び前記第２のアームの少なくとも一部が前記筐体の側面一部を構成することを特徴とする電子機器を提供する。
【０００７】
上記した構成によれば、不使用時は筐体の外面の一部を構成するため、出っ張り等がなくなり持ち運びの際の引っかかりや持ちにくさを解消できるだけでなく、使用時は筐体より取り出して、第１のアームの軸および第２のアームの軸で折り曲げることで、電子機器本体からアンテナ線を有する第２のアームを離して配置できるため、電波の送受信障害を減少させることができる。また、キーボード操作性の向上や表示部の表示視野の妨げ防止等の効果を得られる。
【０００８】
（２）本発明は上記目的を達成するため、電子部品を収容する筐体と、前記筐体に収納されて前記筐体の形成面の一部を構成する第１の配置と、前記筐体より取り出されて前記筐体の形成面上を外れた位置に配置される第２の配置を可能にして前記筐体に搭載されたアンテナユニットとを有することを特徴とする電子機器を提供する。
【０００９】
上記した構成によれば、アンテナを筐体の形成面上から外して配置したため、筐体によって電磁波が直接遮られる可能性が低下し、電波の送受信障害を減少させることができる。また、（１）と同様に、出っ張り等がなくなり持ち運びの際の引っかかりや持ちにくさを解消できる。
【発明の効果】
【００１０】
本発明によれば、快適に操作および無線通信ができる。
【発明を実施するための最良の形態】
【００１１】
以下に、本発明の電子機器の実施の形態を、図面を参照して詳細に説明する。
【００１２】
〔実施の形態〕
（電子機器の構成）
図１は、本発明の実施の形態に関する電子機器としての情報処理装置を示す斜視図である。
【００１３】
この情報処理装置１は、上部筐体２と下部筐体３から構成され、ヒンジ部４により開閉自在に接続されている。上部筐体２は、文字や画像等を表示する表示部２０を有する。下部筐体３は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、上ケース３０および下ケース３１に収納される。また、下部筐体３は、無線通信を行うためのアンテナユニット３２と、上ケース３０にはめ込んで後述するキーボード３４を固定するキーボードカバー３３と、キーボード搭載面３４Ａに搭載されて文字やコマンドを入力するためのキーボード３４と、ポインティングデバイスとしてのタッチパッド３５とを有する。
【００１４】
図２（ａ）〜（ｃ）は、本発明の実施の形態に関するアンテナを示す三面図である。
【００１５】
図２（ａ）はアンテナユニット３２の平面図、図２（ｂ）は側面図、図２（ｃ）は正面図である。アンテナユニット３２は、樹脂製のアーム３２Ａ（第２のアーム）およびアーム３２Ｂ（第１のアーム）とからなり、アーム３２Ａとアーム３２Ｂは、軸Ａで接続されており、折曲部３２ＥにおいてＡを中心に折り曲げることが可能である。
【００１６】
アーム３２Ａは、銅製の金属プレートであるアンテナ線３２Ｃを有し、アーム３２Ｂは、フィーダ３２Ｇを有しており、アンテナ線３２Ｃとフィーダ３２Ｇは、金属製の軸Ａによって電気的に接続されている。また、アーム３２Ａのアンテナ線３２Ｃは、長さＬを調整することで様々な波長の電波を受信可能である。例えば、本実施の形態においては、地上デジタルテレビジョン放送の携帯電話・移動体端末向けの1セグメント部分受信サービス（以降、ワンセグ）の電波を受信する。
【００１７】
アーム３２Ａの先端には係止部３２Ｄを有し、後述する下部筐体３に設けられた係止溝３０Ａに設けられた突起に掛けて留めることができる。アーム３２Ｂは、アーム３２Ｂの孔Ｂに後述するリベット３２３を貫通させてアンテナ搭載部３２Ｆのアームベース３２４に取り付けられ、Ｂを中心に回転可能である。
【００１８】
図３（ａ）〜（ｃ）は、本発明の実施の形態に関するアンテナ搭載部を示す三面図である。
【００１９】
図３（ａ）はアンテナ搭載部３２Ｆの平面図、図３（ｂ）は側面図、図３（ｃ）は正面図である。アンテナ搭載部３２Ｆは、図示しない無線モジュールへアンテナからの信号を伝達するアンテナケーブル３２０と、無線モジュールとアンテナユニット３２のインピーダンス整合をとるための整合回路を有する整合ＰＣＢ（Ｐｒｉｎｔｅｄ−ｃｉｒｃｕｉｔ  Ｂｏａｒｄ）３２１と、整合ＰＣＢ３２１と電気的に接続されるばね３２２と、ばね３２２と電気的に接続されて前述したアンテナユニット３２の孔Ｂを貫通してアンテナ線３２Ｃと電気的に接続されるリベット３２３と、アンテナユニット３２を保持するアームベース３２４と、アンテナ搭載部３２Ｆを上ケース３０に固定するネジ３２５と、整合ＰＣＢ３２１とばね３２２とを電気的に接続固定するはんだ３２６とを有する。キーボードカバー３３は、アンテナ搭載部３２Ｆの上方に設置され上ケース３０に固定される。
【００２０】
図５は、本発明の実施の形態に関する情報処理装置の他の構成を示す斜視図である。
【００２１】
情報処理装置１は、アンテナユニット３２を構成上必要としない場合は、アンテナユニット３２に代えてダミーアンテナ３６を設置する。
【００２２】
（動作）
以下に、本発明の実施の形態における電子機器としての情報処理装置の動作を各図を参照しつつ説明する。
【００２３】
アンテナユニット３２は、外部からワンセグの電波を受信し、受信した電波はアンテナ線３２Ｃ、リベット３２３、ばね３２２、整合ＰＣＢ３２１、アンテナケーブル３２０を介して信号として伝送され、信号は無線モジュールによって復調される。また、信号を外部に送信する際は、無線モジュールが変調した信号がアンテナケーブル３２０等を伝送してアンテナユニット３２から送信される。
【００２４】
情報処理装置１の各操作は、キーボード３４およびタッチパッド３５において行われ、各処理は下部筐体３の内部のＣＰＵにおいて実行される。無線モジュールは、ＣＰＵによって制御され、アンテナにおける電波受信および電波送信を実行する。アンテナユニット３２がワンセグの電波を受信した場合は、無線モジュールが信号を復調し、ＣＰＵもしくは画像信号処理部が復調された信号を処理して表示処理部へと送信し、表示部２０において画像として出力する。
【００２５】
図４（ａ１）〜（ａ３）および（ｂ１）〜（ｂ３）は、本発明の実施の形態に関するアンテナユニットの折曲動作を示す平面図および側面図である。
【００２６】
図４（ａ１）、（ｂ１）および（ｃ１）は、下部筐体３の平面図、図４（ａ２）、（ｂ２）および（ｂ３）は、側面図である。アンテナユニット３２収納時は、図４（ａ１）および（ａ２）に示すように、アーム３２Ａとアーム３２Ｂは折れ曲がらない状態で下部筐体３に収納され、アンテナユニット３２の上面を上ケース３０の上面に一致させ、アンテナユニット３２の側面を上ケース３０および下ケース３１の側面に一致させている（第１の位置、第３の位置）。
【００２７】
アンテナユニット３２をＢを中心にして回転させることで、図４（ｂ１）および（ｂ２）に示すように、アンテナユニット３２は収納時に対して９０°をなす位置に移動する（第２の位置、第３の位置）。
【００２８】
アンテナユニット３２のアーム３２ＡをＡを中心にして回転させることで、図４（ｃ１）および（ｃ２）に示すように、アーム３２Ａは、図４（ｂ１）および（ｂ２）に示す状態に対して９０°をなす位置に移動する（第２の位置、第４の位置）。
【００２９】
（実施の形態の効果）
上記した実施の形態によると、キーボード３４の左右端の本来、下部筐体３を形成する一部分に折り曲げ式のアンテナユニット３２を設けたことにより、アンテナユニット３２を本体に収納可能で、下部筐体３とアンテナユニット３２を意匠的に一致させたため、出っ張り等がなくなり、持ち運ぶ際の引っかかりや持ちにくさを解消することができる。
【００３０】
また、アンテナユニット３２を使用する状態で、アンテナユニット３２のアーム３２Ａにおけるアンテナ線３２Ｃを情報処理装置１から離れた位置に配置することができるため、情報処理装置１の各部との電波の干渉が減少し、受信感度の低下を防ぐことができる。また、同様の理由で、アンテナユニット３２がキーボード操作を妨げることなく、表示部の表示を視覚的に妨害しない。
【００３１】
なお、図５に示すようにダミーアンテナユニット３６を設置することにより、ダミーアンテナユニット３６が意匠的に上ケース３０の一部を補い、無線通信機能を省いた情報処理装置１を製造する際、製造工程を大幅に増加させることなく取り付け部品を交換することで達成できる。
【００３２】
なお、アンテナユニット３２は、左右のそれぞれについて異なる種類の電波を送受信してもよいし、左右で同一の電波をダイバーシティ方式で受信しても良い。また、アンテナユニット３２は、キーボード３４の左右端の片方に設ける構成としてもよい。
【００３３】
なお、アンテナユニット３２の可動な軸は２箇所に限定されず、複数存在してもよい。また、軸を中心にした折曲部を設ける以外に、フレキシブル素材を使用して柔軟自在にアンテナユニット３２を配置するようにしてもよい。
【図面の簡単な説明】
【００３４】
【図１】本発明の実施の形態に関する電子機器としての情報処理装置を示す斜視図である。
【図２】（ａ）〜（ｃ）は、本発明の実施の形態に関するアンテナを示す三面図である。
【図３】（ａ）〜（ｃ）は、本発明の実施の形態に関するアンテナ搭載部を示す三面図である。
【図４】（ａ１）〜（ａ３）および（ｂ１）〜（ｂ３）は、本発明の実施の形態に関するアンテナの折曲動作を示す平面図および側面図である。
【図５】本発明の実施の形態に関する情報処理装置の他の構成を示す斜視図である。
【符号の説明】
【００３５】
１…情報処理装置、２…上部筐体、３…下部筐体、４…ヒンジ部、２０…表示部、３０…上ケース、３０Ａ…係止溝、３１…下ケース、３２…アンテナユニット、３２Ａ…アーム、３２Ｂ…アーム、３２Ｃ…アンテナ線、３２Ｄ…係止部、３２Ｅ…折曲部、３２Ｆ…アンテナ搭載部、３２Ｇ…フィーダ、３３…キーボードカバー、３４…キーボード、３４Ａ…キーボード搭載面、３５…タッチパッド、３６…ダミーアンテナユニット、３２０…アンテナケーブル、３２１…整合ＰＣＢ、３２２…ばね、３２３…リベット、３２４…アームベース、３２５…ネジ、３２６…はんだ
【図１】
2008252528.tif 000003
【図２】
2008252528.tif 000004
【図３】
2008252528.tif 000005
【図４】
2008252528.tif 000006
【図５】
2008252528.tif 000007